(57)【要約】【課題】携帯端末の小型化に伴いＬＣＤのサイズが小型になった場合、ＬＣＤに表示される文字、画像等を見やすくする。【解決手段】複数の画面に表示を行う携帯端末の表示装置に、複数の画面を展開して並べて１つの画面形成を行う複数のＬＣＤ１０４、１０６、１０５と、複数のＬＣＤの展開を検出する展開検出部１０６、１０８、１１２Ａと、展開検出部により展開を検出した場合には複数のＬＣＤの画面を１つの画面に合成し合成した画面に１つの内容を表示する合成画面表示部１１２Ｂとを備える。【選択図】図１
2007243737.tif 000002
【特許請求の範囲】
【請求項１】
複数の画面に表示を行う携帯端末の表示装置において、
複数の画面を展開して並べて１つの画面形成を行う複数のＬＣＤと、
前記複数のＬＣＤの展開を検出する展開検出部と、
前記展開検出部により展開を検出した場合には複数のＬＣＤの画面を１つの画面に合成し合成した画面に１つの内容を表示する合成画面表示部とを備えることを特徴とする携帯端末の表示装置。
【請求項２】
表面、背面に画面に表示を行う携帯端末の表示装置において、
前記携帯端末の表面に画面表示を行う表面ＬＣＤと、
前記携帯端末の背面に画面表示を行う背面ＬＣＤと、
前記表面ＬＣＤに対して前記背面ＬＣＤを展開し、前記表面ＬＣＤと前記背面ＬＣＤを並べて１つの画面に形成する蝶番と、
前記蝶番による前記背面ＬＣＤの展開を検出する展開検出部と、
前記展開検出部による前記背面ＬＣＤの展開検出時に並べられた前記表面ＬＣＤと前記背面ＬＣＤの画面を１つの画面に合成し合成した画面に１つの内容を表示する合成画面表示部とを備えることを特徴とする携帯端末の表示装置。
【請求項３】
表面、背面に画面に表示を行う携帯端末の表示装置において、
前記携帯端末の表面に画面表示を行う表面ＬＣＤと、
前記携帯端末の背面に画面表示を行う２つの背面ＬＣＤと、
前記表面ＬＣＤに対して２つの前記背面ＬＣＤを左右に展開し、前記表面ＬＣＤと前記２つの背面ＬＣＤを並べて１つの画面に形成する２つの蝶番と、
前記蝶番による前記２つの背面ＬＣＤの展開を検出する展開検出部と、
前記展開検出部による前記背面ＬＣＤの展開検出時に並べられた前記表面ＬＣＤと前記背面ＬＣＤの画面を１つの画面に合成し合成した画面に１つの内容を表示する合成画面表示部とを備えることを特徴とする携帯端末の表示装置。
【請求項４】
前記２つの背面ＬＣＤのうち１つが前記表面ＬＣＤと画面を合成し、合成した画面に１つの内容を表示することを特徴とする、請求項３に記載の携帯端末の表示装置。
【請求項５】
前記合成画面表示部は、縦方向に隣接して並べた前記表面ＬＣＤと前記背面ＬＣＤの縦ピクセル数が異なる場合には、縦ピクセル数が少ない方に合わせて表示を行い、縦ピクセル数の多い方に対しては多い部分の表示処理を行わないことを特徴とする、請求項２又は請求項３に記載の携帯端末の表示装置。
【請求項６】
前記合成画面表示部は、縦方向に隣接して並べた前記表面ＬＣＤと前記背面ＬＣＤの縦ピクセル数が異なる場合には、縦ピクセル数が多い方に合わせて表示を行い、縦ピクセル数が少ない方に対しては少ない部分の表示処理を行わないことを特徴とする、請求項２又は請求項３に記載の携帯端末の表示装置。
【請求項７】
複数のＬＣＤの画面に表示を行う携帯端末の表示方法において、
前記複数のＬＣＤを並べて１つの画面を形成するように蝶番で展開する工程と、
前記複数のＬＣＤの展開を検出する工程と、
展開検出時に展開した前記複数のＬＣＤの画面を１つの画面に合成する工程と、
合成した１つの画面に１つの内容を表示する工程とを備えることを特徴とする携帯端末の表示方法。
【請求項８】
複数のＬＣＤの画面に表示を行う携帯端末の表示をコンピュータで実行するプログラムにおいて、
前記複数のＬＣＤを並べて１つの画面を形成するように蝶番で展開する手順と、
前記複数のＬＣＤの展開を検出する手順と、
展開検出時に展開した前記複数のＬＣＤの画面を１つの画面に合成する手順と、
合成した１つの画面に１つの内容を表示する手順とを備えることを特徴とする携帯端末の表示をコンピュータで実行するプログラム。
【請求項９】
複数の画面に表示を行う携帯端末において、
複数の画面を表示する複数のＬＣＤと、
前記複数のＬＣＤを並べて１つの画面を形成するように展開を行う蝶番と、
前記複数のＬＣＤの展開を検出する展開検出部と、
前記展開検出部により展開を検出した場合には複数のＬＣＤの画面を１つの画面に合成し合成した画面に１つの内容を表示する合成画面表示部とを備えることを特徴とする携帯端末。
【発明の詳細な説明】
【技術分野】
【０００１】
本発明は携帯端末の表示装置に関する。特に、本発明は、表示面を拡張する携帯端末の表示装置、方法、プログラム及び携帯端末に関する。
【背景技術】
【０００２】
図７は本発明の前提となる携帯端末の外観を示す図である。本図（ａ）に示すように、携帯端末の表面には表示部として大型のメインの表面ＬＣＤ（液晶表示部）１０２が搭載され、携帯端末の裏面には表示部として小型のサブの裏面ＬＣＤ１０１が搭載され表示情報の増加を図ることは周知である。
この場合、この２つのＬＣＤの設置位置は表裏の位置関係にあり、同時に表示内容を確認するものではない。また、それぞれ独立しており同時に１つのものを表示するようになっていない
【０００３】
携帯端末装置は携帯に便利なように小型にしたものが多くそれに伴い表示部のＬＣＤのサイズも小型となるが、しかしながら、ＬＣＤに表示される文字、画像が小さくなり、見にくくなるという問題がある。
従来、通常はコンパクトに折り畳まれて普通の携帯電話機と同様に使用できるものでありながら、大容量の情報表示を必要とするときは第１液晶表示部並びに第２液晶表示部を第３液晶表示部と同じ平面上に展開させて大領域の情報表示を可能とするため、第１液晶表示部、第２液晶表示部が電話機本体の前面に設けられた第３液晶表示部の前面に展開可能に折り畳まれており、これら液晶表示部が同一平面上に展開したときに全ての液晶表示部が前面に向くように形成されており、更に第１液晶表示部並びに第２液晶表示部が電話機本体に折り畳まれたときに第１液晶表示部が電話機本体の前面に露出し第３液晶表示部が折り畳まれた第２液晶表示部の背面に隠れるように形成されているものがある（例えば、特許文献１参照）。
【０００４】
しかしながら、上記特許文献１では、第１液晶表示部並びに第２液晶表示部を第３液晶表示部と同じ平面上に展開させて大領域の情報表示を可能とするが、携帯端末の小型化に伴いＬＣＤのサイズが小型になった場合、ＬＣＤに表示される文字、画像等を見やすくするものではない。
また、従来、メインディスプレイとサブディスプレイを備えた折りたたみ式の携帯端末装置において、受信した画像と文字情報を重ねず、同時に表示することを可能にするため、メインディスプレイの背面にあるサブディスプレイをスライド移動及び回転させ、メインディスプレイと同じ表示面側に向けることにより、メインディスプレイとサブディスプレイを同時に見ることができ、そして、画像と文字情報を別々のディスプレイに表示することにより、画像と文字情報が重ならずに表示することができるものもある（例えば、特許文献２参照）。
【０００５】
しかしながら、上記特許文献２では、メインディスプレイとサブディスプレイを備えた折りたたみ式の携帯端末装置において、画像と文字情報を別々のディスプレイに表示するものであり、前述のように、携帯端末の小型化に伴いＬＣＤのサイズが小型になった場合、ＬＣＤに表示される文字、画像等を見やすくするものではない。
また、従来、テレビ電話機能を含む携帯情報端末に、より広い表示画面を提供し、合わせて、送信画面と受信画面の双方を同時に確認する手段を提供するため、携帯情報端末の筐体背面に展開可能な蓋体状の可動表示部を設け、可動表示部を筐体に設けられた軸を中心として展開し、固定表示部と同一の方向から表示面を識別可能にすることで、これまでより、広い表示画面を提供し、また、固定表示部と可動表示部に異なる情報を表示し、操作者が一度に認識可能な情報量を増大させ、特にテレビ電話使用時に、一方の画面に送信
画像を、他方の画面に受信画像を表示させることで、従来では困難であった送信画像の実寸大の画像を確認しながらの通話が可能とするものがある（例えば、特許文献３参照）。
【０００６】
しかしながら、上記特許文献３では、携帯情報端末の筐体背面に展開可能な蓋体状の可動表示部を設け、一方の画面に送信画像を、他方の画面に受信画像を表示させるものであるが、前述のように、携帯端末の小型化に伴いＬＣＤのサイズが小型になった場合、ＬＣＤに表示される文字、画像等を見やすくするものではない。
また、従来、折り畳み式携帯端末機の操作性を向上させるため、メインパネルとＬＣＤパネルとキーパネルとを有する折り畳み式携帯電話機において、ＬＣＤパネルまたはＬＣＤパネルとキーパネルの双方を閉じた状態でもサブＬＣＤ表示部、検索・確認ボタンが現れており、かつ機能可能であり、更にＬＣＤパネル、キーパネルを閉じた状態と開いた状態とでサブＬＣＤ表示部、検索・確認ボタンの表示機能や操作機能が自動的に切り換わるようにしたものがある（例えば、特許文献４参照）。
【０００７】
しかしながら、上記特許文献４では、ＬＣＤパネル、キーパネルを閉じた状態と開いた状態とでサブＬＣＤ表示部、検索・確認ボタンの表示機能や操作機能が自動的に切り換わるようにしたものであるが、前述のように、携帯端末の小型化に伴いＬＣＤのサイズが小型になった場合、ＬＣＤに表示される文字、画像等を見やすくするものではない。
また、従来、本体の小型化と表示画面の大型化とを同時に実現させ、視認性および操作性の向上を実現できる携帯端末装置を提供するため、携帯端末装置は、無線回線通信用に、メインパネルと、サイドパネルと、キーパネルで構成され、メインパネルとサイドパネルとは回動自在な接続部で接続され、メインパネルとキーパネルとは回動自在な接続部で接続され、重ね合わせ可能に一体化され、３枚のパネルのうちの少なくとも２枚のメインパネルとサイドパネルとは、その表面に画像表示部であるＬＣＤ表示部を有し、ＬＣＤ表示部は、所望の画像をそれぞれ表示可能にされ、例えば、ＬＣＤ表示部を編集用に、ＬＣＤ表示部を参照用に利用すれば、両者を同時に見ることができ、ＬＣＤ表示部における編集がきわめて容易になるものがある（例えば、特許文献５参照）。
【０００８】
しかしながら、上記特許文献５では、３枚のパネルのうちの少なくとも２枚のメインパネルとサイドパネルの表面に画像表示部であるＬＣＤ表示部を有し、ＬＣＤ表示部は、所望の画像をそれぞれ表示可能にされ、ＬＣＤ表示部を編集用に、ＬＣＤ表示部を参照用に利用すれば、両者を同時に見ることができるものがあるが、前述のように、携帯端末の小型化に伴いＬＣＤのサイズが小型になった場合、ＬＣＤに表示される文字、画像等を見やすくするものではない。
【０００９】
また、従来、携帯性を維持したままで、通常状態で動作可能にすると共にＴＶ電話や電子メール等の多量の情報を表示可能な携帯電話装置を提供するため、ヒンジを介して相互に折り畳み可能に構成された本体および表示部を有し、表示部には第１表示部（前面表示部）および表示部の側面等にヒンジで連結された第２表示部（背面表示部）が設けられ、通常状態では、第１表示部および第２表示部は独立した表示部として動作し、一方、第２表示部が展開されると、両表示部が並列して配置され、この展開を検出器で検出して両表示部を「２画面モード」で動作可能にするものがある（例えば、特許文献６参照）。
しかしながら、上記特許文献６では、携帯電話装置の両表示部を「２画面モード」で動作可能にするものがあるが、前述のように、携帯端末の小型化に伴いＬＣＤのサイズが小型になった場合、ＬＣＤに表示される文字、画像等を見やすくするものではない。
【００１０】
【特許文献１】特開２００３−１６９１１３号公報
【特許文献２】特開２００５−１４９１９２号公報
【特許文献３】特開２００３−２４４３０１号公報
【特許文献４】特開２００２−２１８０３０号公報
【特許文献５】特開２００２−３７４３３３号公報
【特許文献６】特開２００５−２２３５０７号公報
【発明の開示】
【発明が解決しようとする課題】
【００１１】
したがって、本発明は上記問題点に鑑みて、携帯端末の小型化に伴いＬＣＤのサイズが小型になった場合、ＬＣＤに表示される文字、画像等を見やすくする携帯端末の表示装置、方法、プログラム及び携帯端末を提供することを目的とする。
【課題を解決するための手段】
【００１２】
本発明は前記問題点を解決するために、複数の画面に表示を行う携帯端末の表示装置において、複数の画面を展開して並べて１つの画面形成を行う複数のＬＣＤと、前記複数のＬＣＤの展開を検出する展開検出部と、前記展開検出部により展開を検出した場合には複数のＬＣＤの画面を１つの画面に合成し合成した画面に１つの内容を表示する合成画面表示部とを備えることを特徴とする携帯端末の表示装置を提供する。
【００１３】
さらに、本発明は、表面、背面に画面に表示を行う携帯端末の表示装置において、前記携帯端末の表面に画面表示を行う表面ＬＣＤと、前記携帯端末の背面に画面表示を行う背面ＬＣＤと、前記表面ＬＣＤに対して前記背面ＬＣＤを展開し、前記表面ＬＣＤと前記背面ＬＣＤを並べて１つの画面に形成する蝶番と、前記蝶番による前記背面ＬＣＤの展開を検出する展開検出部と、前記展開検出部による前記背面ＬＣＤの展開検出時に並べられた前記表面ＬＣＤと前記背面ＬＣＤの画面を１つの画面に合成し合成した画面に１つの内容を表示する合成画面表示部とを備えることを特徴とする携帯端末の表示装置を提供する。
【００１４】
さらに、本発明は、表面、背面に画面に表示を行う携帯端末の表示装置において、前記携帯端末の表面に画面表示を行う表面ＬＣＤと、前記携帯端末の背面に画面表示を行う２つの背面ＬＣＤと、前記表面ＬＣＤに対して２つの前記背面ＬＣＤを左右に展開し、前記表面ＬＣＤと前記２つの背面ＬＣＤを並べて１つの画面に形成する２つの蝶番と、前記蝶番による前記２つの背面ＬＣＤの展開を検出する展開検出部と、前記展開検出部による前記背面ＬＣＤの展開検出時に並べられた前記表面ＬＣＤと前記背面ＬＣＤの画面を１つの画面に合成し合成した画面に１つの内容を表示する合成画面表示部とを備えることを特徴とする携帯端末の表示装置を提供する。
【００１５】
さらに、前記２つの背面ＬＣＤのうち１つが前記表面ＬＣＤと画面を合成し、合成した画面に１つの内容を表示する。
さらに、前記合成画面表示部は、縦方向に隣接して並べた前記表面ＬＣＤと前記背面ＬＣＤの縦ピクセル数が異なる場合には、縦ピクセル数が少ない方に合わせて表示を行い、縦ピクセル数の多い方に対しては多い部分の表示処理を行わない。
【００１６】
さらに、前記合成画面表示部は、縦方向に隣接して並べた前記表面ＬＣＤと前記背面ＬＣＤの縦ピクセル数が異なる場合には、縦ピクセル数が多い方に合わせて表示を行い、縦ピクセル数が少ない方に対しては少ない部分の表示処理を行わない。
さらに、本発明は、複数のＬＣＤの画面に表示を行う携帯端末の表示方法において、前記複数のＬＣＤを並べて１つの画面を形成するように蝶番で展開する工程と、前記複数のＬＣＤの展開を検出する工程と、展開検出時に展開した前記複数のＬＣＤの画面を１つの画面に合成する工程と、合成した１つの画面に１つの内容を表示する工程とを備えることを特徴とする携帯端末の表示方法を提供する。
【００１７】
さらに、本発明は、複数のＬＣＤの画面に表示を行う携帯端末の表示をコンピュータで実行するプログラムにおいて、前記複数のＬＣＤを並べて１つの画面を形成するように蝶番で展開する手順と、前記複数のＬＣＤの展開を検出する手順と、展開検出時に展開した前記複数のＬＣＤの画面を１つの画面に合成する手順と、合成した１つの画面に１つの内容を表示する手順とを備えることを特徴とする携帯端末の表示をコンピュータで実行するプログラムを提供する。
【００１８】
さらに、本発明は、複数の画面に表示を行う携帯端末において、複数の画面を表示する複数のＬＣＤと、前記複数のＬＣＤを並べて１つの画面を形成するように展開を行う蝶番と、前記複数のＬＣＤの展開を検出する展開検出部と、前記展開検出部により展開を検出した場合には複数のＬＣＤの画面を１つの画面に合成し合成した画面に１つの内容を表示する合成画面表示部とを備えることを特徴とする携帯端末を提供する。
【発明の効果】
【００１９】
以上説明したように、本発明によれば、複数のＬＣＤを並べて１つの画面を形成するように蝶番で展開し、複数のＬＣＤの展開を検出し、展開検出時に展開した複数のＬＣＤの画面を１つの画面に合成し、合成した１つの画面に１つの内容を表示するようにしたので、携帯端末の小型化に伴いＬＣＤのサイズが小型になっても、複数のＬＣＤの画面を１画面にして１つの内容を表示し、ＬＣＤの画面に表示する文字、画像の内容を拡大することが可能になり、見やすくなる。
【発明を実施するための最良の形態】
【００２０】
以下、本発明の実施の形態について図面を参照して説明する。
図１は本発明に係る携帯端末の外観を示す斜視図である。本図に示すように、携帯端末は表面にメインの表面ＬＣＤ（液晶表示部）１０４、背面にサブの背面ＬＣＤ１０３を有し、側面に蝶番１０５を有する。
表面ＬＣＤ１０４、背面ＬＣＤ１０３は文字、画像等の情報を表示する機能を有する。
【００２１】
蝶番１０５は背面ＬＣＤ１０３を展開し、表面ＬＣＤ１０４のすぐ横に展開する機能を有する。
表面ＬＣＤ１０４と背面ＬＣＤ１０３は、好ましくは同じサイズとし、背面ＬＣＤ１０３を展開することにより展開した背面ＬＣＤ１０３と同時に見られるようにする。
さらに、表面ＬＣＤ１０４と背面ＬＣＤ１０３の側面でこれらの展開時の合わせ目にはスイッチ１０６が設置され、スイッチ１０６は背面ＬＣＤ１０３が展開され表面ＬＣＤ１０４の横に展開した場合に押下されＯＮになり、展開検出の機能を有する。
【００２２】
図２は図１における携帯端末の回路構成の概略要部を示すブロック図である。本図に示すように、携帯端末にはＣＰＵ（中央処理装置）１０７が搭載され、ＣＰＵ１０７はバスを介して携帯端末内の各部と接続され、各部の制御を行う。
このうちＲＯＭ（Ｒｅａｄ  Ｏｎｌｙ  Ｍｅｍｏｒｙ）１１１はＣＰＵ１０７が実行するための各種の制御用プログラム、かな文字変換等に使用される辞書等の固定的なデータを格納する。
【００２３】
ＲＯＭ１１１に格納される制御プログラムには、表面ＬＣＤ１０４と背面ＬＣＤ１０３を１つのＬＣＤとして扱い画像を表示する制御を行うソフトウエアが含まれる。
さらに、ＲＡＭ（Ｒａｎｄｏｍ  Ａｃｃｅｓｓ  Ｍｅｍｏｒｙ）１１０はデータを保存し、入力部１０９はキーボード１１３からのキー操作情報を入力し、表示制御部１１２は背面ＬＣＤ１０３、表面ＬＣＤ１０４を制御し、スイッチ入力部１０８はスイッチ１０６からＯＮ又はＯＦＦの情報を入力する。
【００２４】
表示制御部１１２には展開検出部１１２Ａ、合成画面表示部１１２Ｂが設けられる。
展開検出部１１２Ａはスイッチ入力部１０８で入力したスイッチ１０６のＯＮ、ＯＦＦ情報に基づき背面ＬＣＤ１０３が展開したか否かを検出する。
合成画面表示部１１２Ｂは展開検出部１１２Ａの展開検出時に表面ＬＣＤ１０４の画面と背面ＬＣＤ１０３の画面を１画面に合成し合成画面の表示を行う。
【００２５】
すなわち、合成画面表示部１１２Ｂは表面ＬＣＤ１０４と背面ＬＣＤ１０３に対して、双方の画面サイズを合わせたサイズに表示位置計算を行い、２画面を１画面に変更する描画命令を発行する。
図３は図２における合成画面表示部１１２Ｂによる１画面への変更例を説明する図である。本図（ａ）に示すように、縦方向に隣接しに並んだ表面ＬＣＤ１０４と背面ＬＣＤ１０３に対して、携帯端末の合成画面表示部１１２Ｂでは、表面ＬＣＤ１０４の画面が、横：Ｘ１ピクセル数、縦：Ｙピクセル数の画面で背面ＬＣＤ１０３が横：Ｘ２ピクセル数、縦：Ｙピクセル数の表示サイズであり、２画面の表示サイズである場合、本図（ｂ）に示すように、展開した背面ＬＣＤ１０３と表面ＬＣＤ１０４に対して、横：Ｘ１＋Ｘ２ピクセル数、縦：Ｙピクセル数の１画面の表示サイズに変更する。
【００２６】
例えば、表面ＬＣＤ１０４でＴＶ（テレビジョン）を表示し、背面ＬＣＤ１０３でブラウザを表示する場合、展開した表面ＬＣＤ１０４と背面ＬＣＤ１０３はＴＶのみを表示し、又はブラウザのみを表示する。
図４は図３の１画面の変更の変形例を示す図である。携帯端末の合成画面表示部１１２Ｂでは、本図（ａ）に示すように、図３と比較して、表面ＬＣＤ１０４と背面ＬＣＤ１０３とで、画面が、縦：Ｙ１ピクセル数、Ｙ２ピクセル数と異なる場合がある。ここで、Ｙ１＞Ｙ２とする。
【００２７】
本図（ｂ）に示すように、１画面の表示サイズについて、短い方の背面ＬＣＤ１０３の画面の、縦：Ｙ２ピクセル数となるようにする。この場合、表面ＬＣＤ１０４の縦：Ｙ１−Ｙ２、横Ｘ１ピクセル数の部分には表示処理が行われないようにする。
本図（ｃ）に示すように、１画面の表示サイズについて、長い方の表面ＬＣＤ１０４の画面の、縦：Ｙ１ピクセル数となるようにする。この場合、背面ＬＣＤ１０３の縦：Ｙ１−Ｙ２数、横Ｘ２ピクセル数の部分には実際には表示が行われないので、この部分の表示処理は行われない。
【００２８】
図５は図１における携帯端末の表示装置の一連の動作を説明するフローチャートである。本図に示すように、ステップＳ２０１において、携帯端末に表示要求があるか否かを判断する。なければ処理を終了する。
ステップＳ２０２において、スイッチ１０６がＯＮであるか否かを判断し、スイッチ１０６がＯＮである場合にはステップＳ２０７に進む。
【００２９】
ステップＳ２０３において、スイッチ１０６がＯＦＦの場合には、表面ＬＣＤ１０４の表示要求であるか否かを判断する。表面ＬＣＤ１０４の表示要求でない場合にはステップＳ２０５に進む。
ステップＳ２０４において、表面ＬＣＤ１０４の表示要求である場合には、表面ＬＣＤ１０４に対して、例えば、ＴＶの描画命令が行われる。
【００３０】
ステップＳ２０５において、背面ＬＣＤ１０３の表示要求があるか否かを判断する。背面ＬＣＤ１０３の表示要求がない場合には処理を終了する。
ステップＳ２０６において、背面ＬＣＤ１０３の表示要求がある場合には、背面ＬＣＤ１０３に対して、例えば、ブラウザの描画命令が行われ処理を終了する。
ステップＳ２０７において、画面サイズが表面ＬＣＤ１０４のサイズと背面ＬＣＤ１０３のサイズの合計とする。
【００３１】
ステップＳ２０８において、合計したサイズを基に表示位置計算を処理する。
ステップＳ２０９において、表面ＬＣＤ１０４、背面ＬＣＤ１０３に対して、ＴＶ又はブラウザの描画命令が行われ処理を終了する。
したがって、本発明によれば、携帯端末の小型化に伴いＬＣＤのサイズが小型になっても、表面ＬＣＤ１０４、背面ＬＣＤ１０３の画面を１画面にして１つの（テレビジョン）（テレビジョン）を表示すれば、ＬＣＤの画面に表示する文字、画像の内容を拡大することが可能になり、見やすくなる。
【実施例１】
【００３２】
図６は図１における携帯端末の別の例の外観を示す図である。本図に示すように、表面ＬＣＤ１０４の右側に背面ＬＣＤ１０３、さらに、左側に背面ＬＣＤ１１４を展開して横に３つの画面を並べ、３つの画面を１画面に形成し、形成された１画面に１つの内容を表示するようにしてもよい。この場合、表面ＬＣＤ１０４と背面ＬＣＤ１１４の間に図示しない蝶番、スイッチが設けられる。
【００３３】
なお、この場合、３つの画面のうち中央の表面ＬＣＤ１０４と背面ＬＣＤ１０３だけを１画面とし１つの内容を表示し背面ＬＣＤ１１４に他の内容を表示し、又は、表面ＬＣＤ１０４と背面ＬＣＤ１１４だけを１画面とし１つの内容を表示し背面ＬＣＤ１０３に他の内容を表示するようにしてもよい。これにより、内容を拡大して表示すると同時に他の情報も表示することが可能になる。
一般的には複数のＬＣＤの画面を並べて１つの画面にし、１つの内容を表示するようにしてもよい。これにより、さらに、内容を拡大して表示することが可能になる。
【産業上の利用可能性】
【００３４】
以上、携帯端末について説明を行ったが、携帯端末には背中合わせの関係のＬＣＤを持つ携帯電話機、ＰＨＳ（簡易型携帯電話機）、ＰＤＡ（携帯情報端末）等の携帯端末装置を含み、これらにも本発明の利用が可能である。
【図面の簡単な説明】
【００３５】
【図１】本発明に係る携帯端末の外観を示す斜視図である。
【図２】図１における携帯端末の回路構成の概略要部を示すブロック図である。
【図３】図２における合成画面表示部１１２Ｂによる１画面への変更例を説明する図である。
【図４】図３の１画面の変更の変形例を示す図である。
【図５】図１における携帯端末の表示装置の一連の動作を説明するフローチャートである。
【図６】図１における携帯端末の別の例の外観を示す図である。
【図７】本発明の前提となる携帯端末の外観を示す図である。
【符号の説明】
【００３６】
１０１、１０３…背面ＬＣＤ
１０２、１０４…表面ＬＣＤ
１０５…蝶番
１０６…スイッチ
１０７…ＣＰＵ
１０８…スイッチ入力部
１０９…入力部
１１０…ＲＡＭ
１１１…ＲＯＭ
１１２…表示制御部
１１２Ａ…展開判断部
１１２Ｂ…合成画面表示部
１１３…キーボード
【図１】
2007243737.tif 000003
【図２】
2007243737.tif 000004
【図３】
2007243737.tif 000005
【図４】
2007243737.tif 000006
【図５】
2007243737.tif 000007
【図６】
2007243737.tif 000008
【図７】
2007243737.tif 000009